(57)【特許請求の範囲】
【請求項１】
歯科用インスツルメントホースが挿通され、かつ、歯科用インスツルメントを保持するインスツルメントホルダーと、該インスツルメントホルダーを固定部材に固定するためのホルダーリンクとを有し、前記ホルダーリンクは２本のアームリンクからなり、該２本のアームリンクの夫々の一端が前記固定部材に回動自在に固定され、他端の夫々が前記インスツルメントホルダーを回動自在に支持し、該２本のアームリンクは、前記一端側において所定間隔Ｌ1をもって前記固定部材に回動自在に固定されるとともに、前記他端側において前記所定間隔より小さい間隔Ｌ2をもって前記インスツルメントホルダーを回動自在に支持し、かつ、前記間隔Ｌ2は前記インスツルメントホルダーが水平状態にされた時の垂直方向の間隔及び垂直状態にされた時の水平方向の間隔となるように取り付けられて、前記インスツルメントホルダーを垂直状態又は水平状態に選択的に変更可能であり、かつ、垂直状態及び水平状態において、前記歯科用インスツルメントのヘッド部が略同じ位置になるようにしたことを特徴とする歯科用インスツルメントホルダー装置。
【請求項２】
前記アームリンクは、複数個のインスツルメントホルダーを同時に保持していることを特徴とする請求項１に記載の歯科用インスツルメントホルダー装置。
【請求項３】
前記ホルダーリンクは、各々単一のインスツルメントホルダーを保持し、各インスツルメント毎に垂直状態或いは水平状態に保持可能であることを特徴とする請求項１に記載の歯科用インスツルメントホルダー装置。
【発明の詳細な説明】
【０００１】
【発明の属する技術分野】
本発明は、歯科用インスツルメントを懸架しておくための歯科用インスツルメントホルダー装置に係り、より詳細には、歯科用インスツルメントを垂直状態或いは水平状態に選択的に懸架可能であり、かつ、垂直懸架状態においても水平懸架状態においても、前記歯科用インスツルメントのヘッド部が略同じになるようにし、もって、インスツルメントの引き出し操作をしやすくした歯科用インスツルメントホルダー装置に関する。
【０００２】
【従来の技術】
歯科治療においては、周知のように、エアータービン，マイクロモータ，マルチシリンジ等、種々のインスツルメントを使用が、これらの歯科用インスツルメントは、これらのインスツルメントにエアー，水，電気等を供給するためのインスツルメントホースの先端に着脱自在に接続されて使用されるようになっている。
【０００３】
また、前記各インスツルメントは、周知のように、常時は、インスツルメントホルダーに収納又は懸架されており、使用時、該インスツルメントホルダーから引き出されて使用されるようになっている。
【０００４】
図４は、本出願人が先に提案したインスツルメントホルダー機構及びインスツルメントホルダーの一例を説明するための斜視図で、図中、１はワークテーブル、１０はインスツルメントホルダー、１１はインスツルメントホルダー機構支持部材、１２１〜１２５（以下１２で代表することもある）はインスツルメント支持部材で、これらの各インスツルメント支持部材１２１〜１２５には、インスツルメントホース２１が挿通されるインスツルメントホース挿通孔１２ａが設けられ、各ホース挿入孔１２ａの側部には、開口１２ｂが設けられており、該開口１２ｂを通してインスツルメントホース２１が挿通されてインスツルメント２０が懸架される。ただし、１２１，１２５はインスツルメント支持部材のみを、１２２，１２３は該インスツルメント支持部材に後述の筒状補助部材１３２，１３３を装着した状態を、また、１２４は筒状補助部材１３４及びインスツルメント２０を装着した状態を示している。
【０００５】
各インスツルメント支持部材１２１〜１２５は、図４の１２１，１２５から明らかなように、中央部にホース挿通孔１２ａが形成され、その側面に開口部１２ｂを有し、該開口部１２ｂを通してインスツルメントホースを出し入れするようになっている。なお、図４において、インスツルメントホース２１の図示しない端部は、例えば、歯科治療ユニットの任意所望の箇所に着脱自在に装着され、該ユニットに設けられたコントローラ部からエアー，水，電気等が該ホース内のエアー回路，水回路，電気回路等の回路を通してインスツルメント２０に供給されるようになっている。
【０００６】
図５は、図４に示したインスツルメント支持部材１２の一例を説明するための詳細図で、図５（Ａ）は上面図、図５（Ｂ）は図５（Ａ）のＢ−Ｂ線断面図で、図４において１２１，１２５で示したように、中央にインスツルメントホースを挿通するためのホース挿通孔１２ａを、また、インスツルメントホースを該ホース挿通孔１２ａに出し入れするための開口１２ｂを具備している。
【０００７】
上記ホース挿通孔１２ａは、全体を通じて同一径でもよいが、図示例のように、上方において大径１２ｃにし、漏斗状に形成することにより、後述する筒状補助部材１３を、より容易に着脱可能とすることができる。１２ｄは該インスツルメント支持部材１２をインスツルメントホルダー機構支持部材１１に回動可能に取り付けるための軸孔で、図４に示すように、該軸孔１２ｄにインスツルメントホルダー機構支持部材１１の軸１１ａを挿通して、各インスツルメント支持部材１２を該軸１１ａに回動可能に取り付ける。また、１２ｅは該インスツルメント支持部材１２と前記軸１１ａとの回動摩擦抵抗を調整するためのねじ孔で、該ねじ孔１２に螺合されるボルトのねじ込み量を調整することにより、前記インスツルメント保持部材１２の回動を操作しやすいものにする。
【０００８】
図６は、図４に示した筒状補助部材１３の一例を説明するための図で、図６（ａ）は上面図、図６（ｂ）は正面図である。この筒状補助部材１３は、図示例の場合、図５に示したインスツルメント支持部材１２のホース挿通孔１２ａの形状に合わせて、上部が大径の漏斗状に形成されているが、必ずしも図示例のものに限定されるものではなく、例えば、同一径の筒状体でもよい。しかし、その場合には、該筒状補助部材をインスツルメント支持部材のホース挿通孔に挿入した時に（該筒状補助部材１３とインスツルメント支持部材１２によりインスツルメントホルダー機構を構成する）、該補助部材が該ホース挿通孔から抜け落ちないようにするために、上端部にインスツルメント支持部材のホース挿通孔の孔径より大きな径のカラー部１３ｄを設けておくとよい。
【０００９】
前記筒状補助部材１３とインスツルメント支持部材１２のホース挿通孔１２ａに、該筒状補助部材１３の開口１３ｂをインスツルメント支持部材１３の開口１２ｂに合せて装着し、これら開口１３ｂ，１２ｂを通してインスツルメントホースをインスツルメント保持機構内に挿入した後に、前記筒状補助部材１３を略１８０°回転すると（図４において、１３４参照）、インスツルメント支持部材１２の開口部１２ｂが筒状補助部材１３の側壁によって塞がれしまうので、以降は、該インスツルメント支持部材からインスツルメントホースが抜け出るようなことはなく、各インスツルメントを通常の仕方で使用することにより、歯科治療を行うことができる。
【００１０】
上記インスツルメントホルダーにおいて、各インスツルメント支持部１２１〜１２５は、軸１１ａのまわりに回動可能に取り付けられており、例えば、図４において、１２１〜１２３に示すように、インスツルメント支持部材を水平（横置）にして使用したり、或いは、１２４，１２５に示すように、垂直（縦置）にして使用したりすることができ、術者は、好みの置き方にして使用することができる。
【００１１】
【発明が解決しようとする課題】
図７は、前記インスツルメント保持部材１２を垂直（縦）配置とした場合（鎖線）と、水平（横）配置とした場合（実線）のインスツルメント２０のヘッド部２０ａの位置関係を概略的に示す図で、図７（Ａ）に示すように、インスツルメント保持部材１２を軸１１ａのまわりに９０°回転して該インスツルメント保持部材を垂直配置或いは水平配置とすると、インスツルメント２０のヘッド部２０ａは、距離Ｌだけ離れ、離れすぎてしまうため、使い勝手が非常に悪いものとなってしまう。
【００１２】
また、インスツルメントのワークテーブル上面からの位置は、その使いやすい位置が略決っており、横置きの場合は、図７（Ｂ）に実線にて示す位置が使いやすい位置であるが、この横置きを基準にして軸１１ａの位置を決めると、縦置き（鎖線）にした場合、インスツルメント２０のヘッド部２０ａがワークテーブル１の上面より高くなりすぎ、逆に、図７（Ｃ）に示すように、縦置き（実線）を基準にすると、横置き（鎖線）にした時に、ワークテーブル１の上面より低くなりすぎ、いずれにしても使い勝手の悪いものになってしまう。
【００１３】
【課題を解決するための手段】
請求項１の発明は、歯科用インスツルメントホースが挿通され、かつ、歯科用インスツルメントを保持するインスツルメントホルダーと、該インスツルメントホルダーを固定部材に固定するためのホルダーリンクとを有し、前記ホルダーリンクは２本のアームリンクからなり、該２本のアームリンクの夫々の一端が前記固定部材に回動自在に固定され、他端の夫々が前記インスツルメントホルダーを回動自在に支持し、該２本のアームリンクは、前記一端側において所定間隔Ｌ1をもって前記固定部材に回動自在に固定されるとともに、前記他端側において前記所定間隔より小さい間隔Ｌ2をもって前記インスツルメントホルダーを回動自在に支持し、かつ、前記間隔Ｌ2は前記インスツルメントホルダーが水平状態にされた時の垂直方向の間隔及び垂直状態にされた時の水平方向の間隔となるように取り付けられて、前記インスツルメントホルダーを垂直状態又は水平状態に選択的に変更可能であり、かつ、垂直状態及び水平状態において、前記歯科用インスツルメントのヘッド部が略同じ位置になるようにしたことを特徴としたものである。
【００１４】
請求項２の発明は、請求項１の発明において、前記アームリンクは、複数個のインスツルメントホルダーを同時に保持していることを特徴としたものである。
【００１５】
請求項３の発明は、請求項１の発明において、前記ホルダーリンクは、各々単一のインスツルメントホルダーを保持し、各インスツルメント毎に垂直状態或いは水平状態に保持可能であることを特徴としたものである。
【００１６】
【発明の実施の形態】
図１は、本発明による歯科用インスツルメントホルダー装置の一実施例を説明するための構成図で、図中、１はワークテーブル、２はインスツルメントホルダー、３はホルダーアーム、４，５はホルダーリンクで、ホルダーアーム３はワークテーブル１等の下部に固定されている。このホルダーアーム３には、ホルダーリンク４がＰ１点を支点に回動自在に取り付けられ、同時に、該支点Ｐ１から所定距離Ｌ１離れた点Ｑ１を支点にホルダーリンク５が回動自在に取り付けられている。また、ホルダーリンク４の他端は、ホルダー２に点Ｐ２を支点に回動自在に取り付けられ、同様に、ホルダーリンク５の他端もＱ２点を支点に回動自在にホルダー２に取り付けられているが、この場合の支点Ｐ２とＱ２間の距離Ｌ２は、ホルダーアーム３上の支点Ｐ１，Ｑ１間の距離Ｌ１と異なっている（図示例の場合、Ｌ１＞Ｌ２）。従って、ホルダーリンク４のＰ２点は支点Ｐ１を中心に軌跡Ｐを描き、同様に、ホルダーリンク５の点Ｑ２は、支点Ｑ１を中心に軌跡Ｑを描き、両ホルダーリンクが同時に回動できる範囲は、両軌跡Ｐ，Ｑ間の間隔がＬ２以下の範囲である。従って、両軌跡Ｐ，Ｑ間の間隔がＬ２になる位置を、図１に示すように、水平位置（Ｘ−Ｘ位置）及び垂直位置（Ｙ−Ｙ位置）としておけば、ホルダー２は、これら水平位置及び垂直位置の間でのみ回動可能であり、図示の状態以上には回動しない。
【００１７】
更に、本発明においては、インスツルメントホルダー２を垂直位置から水平位置に移動させる際、インスツルメントホルダー２を矢印Ａ方向に押し込んでやると、ホルダーリンク５の軌跡Ｑがホルダーリンク４の軌跡Ｐより外側になるように移動するので、ホルダー２は矢印Ｒ方向に回動しながら上方に移動し、水平状態になったところで停止するが、この水平になった時、ホルダー２はこれらホルダーアームの下側に来て、図１に実線にて示す水平位置になる。
【００１８】
また、上記水平状態にある時に、インスツルメントホルダー２を矢印Ｂ方向に引張ると、ホルダー２が垂直状態になったところで、自動的に止り、それ以上回動できない。上述のように、ホルダー２を回動した時に、インスツルメント２０のヘッド部２０ａは、図１に示したように、その位置がほとんど変化せず、従って、インスツルメントが垂直状態に懸架されていても、水平状態に懸架されていても、何ら違和感なく使用することができる。
【００１９】
図２は、前述のリンク機構を上部から見た時の概略図で、図中、６は支点Ｐ２の回動軸、７は支点Ｑ２の回動軸で、図示例の場合、これら回動軸６，７には多数個のホルダー２が取り付けられ、全てのホルダーが同時に水平状態或いは垂直状態になるようになっているが、本発明は、図示実施例に限定されるものではなく、各ホルダー毎に個別に、或いは、複数単位で取り付けるようにしてもよい。なお、図３に、全ホルダーを垂直状態（Ｉの位置）にした場合と、水平状態（ＩＩの位置）にした場合の概略外観図を示す。
【００２０】
【発明の効果】
以上の説明から明らかなように、本発明によると、歯科用インスツルメントホルダーを垂直，水平のいずれかの状態に選択して使用することができるので、術者の好みに応じたインスツルメント配置で使用することができる。しかも、垂直配置と水平配置とで、インスツルメントヘッドの位置がほとんど変らないので、非常に使い勝手のよいインスツルメントホルダー装置を提供することができる。
【図面の簡単な説明】
【図１】本発明によるインスツルメントホルダー装置の一実施例を説明するための図である。
【図２】図１に示したホルダーリンクを上部から見た時の概略構成図である。
【図３】本発明によるインスツルメントホルダー装置の垂直状態及び水平状態を示す全体外観図である。
【図４】本出願人が先に提案したインスツルメントホルダーの例を説明するための図である。
【図５】図４に示したインスツルメント支持部材の一例を説明するための図である。
【図６】図４に示した筒状補助部材の一例を説明するための図である。
【図７】従来のインスツルメントホルダーの問題点を説明するための概略図である。
【符号の説明】
１…ワークテーブル、２…インスツルメントホルダー、３…ホルダーアーム、４，５…ホルダーリンク、６，７…支点軸、２０…インスツルメント、２０ａ…インスツルメントヘッド。
【図１】
0003565634.tif 000002
【図２】
0003565634.tif 000003
【図３】
0003565634.tif 000004
【図４】
0003565634.tif 000005
【図５】
0003565634.tif 000006
【図６】
0003565634.tif 000007
【図７】
0003565634.tif 000008